(57)【要約】  交換する砥石車の重量を軽減して、砥石車を砥石フランジに容易にかつ芯出し精度を確保して取付けることができる砥石車の取付装置を提供する。  そのために、砥石フランジ２３に、砥石車１９の内周面２５ａを取付ける砥石取付軸部２３ａを設け、砥石取付軸部の外周に、砥石車の内周面の径寸法よりも径方向寸法の小さな嵌合導入部２３ａ１を形成し、嵌合導入部の基端部に、砥石車を砥石取付軸部に同心的に嵌合保持する円弧状の嵌合凸部２３ａ２を１８０度未満の角度範囲に亘って形成し、嵌合導入部の砥石取付軸部の軸端側に、嵌合導入部より径方向寸法の小さな逃がし部２３ａ３を、嵌合凸部から軸線方向に離間し、かつ嵌合凸部と円周方向に対向する位置に所定の角度範囲に亘って形成した。
2013088574.tif 000002
【特許請求の範囲】
【請求項１】
砥石軸の外周に着脱可能に固着された砥石フランジに対して、外周に砥石層を設けた砥石車を取付ける取付装置であって、
前記砥石フランジに、前記砥石車の内周面を取付ける砥石取付軸部を設け、
該砥石取付軸部の外周に、前記砥石車の内周面の径寸法よりも径方向寸法の小さな嵌合導入部を形成し、
該嵌合導入部の基端部に、前記砥石車を前記砥石取付軸部に同心的に嵌合保持する円弧状の嵌合凸部を１８０度未満の角度範囲に亘って形成し、
前記嵌合導入部の前記砥石取付軸部の軸端側に、前記嵌合導入部より径方向寸法の小さな逃がし部を、前記嵌合凸部から軸線方向に離間し、かつ前記嵌合凸部と円周方向に対向する位置に所定の角度範囲に亘って形成し、
前記砥石取付軸部の前記嵌合凸部に前記砥石車の内周面を嵌合した状態で、前記砥石車を前記砥石フランジの端面にボルトによって固定するようにした、
ことを特徴とする砥石車の取付装置。
【請求項２】
請求項１において、前記嵌合導入部および前記逃がし部を、前記嵌合凸部と同心の円筒形状とした砥石車の取付装置。
【請求項３】
請求項１または請求項２において、前記砥石フランジに、前記嵌合凸部に対応する角度位置にアップマークを設けた砥石車の取付装置。
【請求項４】
請求項３において、前記砥石フランジに装着される前記砥石車は、予め機外において内周を基準にして前記砥石層の外周を成形され、前記砥石車には、前記アップマークに対応する合わせマークが設けられている砥石車の取付装置。
【請求項５】
砥石軸の外周に着脱可能に固着された砥石フランジに対して、外周に砥石層を設けた砥石車を取付ける取付装置であって、
前記砥石フランジに、前記砥石車の内周面を取付ける砥石取付軸部を設け、
前記砥石取付軸部の基端部に砥石嵌合部を形成し、
前記砥石取付軸部の外周に、前記砥石嵌合部の径寸法よりも径方向寸法の小さな嵌合導入部を形成し、
前記砥石車の内周に、前記砥石車を前記砥石嵌合部と同心的に嵌合する円弧状の嵌合凸部を１８０度未満の角度範囲に亘って形成するとともに、逃がし円弧部を１８０度以上の角度範囲に亘って形成するとともに、逃がし円弧部を１８０度以上の角度範囲に亘って形成し、
前記嵌合導入部の前記砥石取付軸部の軸端側に、前記嵌合導入部より径方向寸法の小さな逃がし部を、前記砥石嵌合部から軸線方向に離間し、かつ前記砥石車の前記嵌合凸部と円周方向に対向する位置に所定の角度範囲に亘って形成し、
前記砥石取付軸部の前記砥石嵌合部に前記砥石車の前記嵌合凸部を嵌合した状態で、前記砥石車を前記砥石フランジの端面にボルトによって固定するようにした、
ことを特徴とする砥石車の取付装置。
【発明の詳細な説明】
【技術分野】
【０００１】
本発明は、砥石車の取付装置に関し、特に、砥石車を砥石フランジに容易に、かつ芯出し精度を確保して取付けることができる砥石車の取付装置に関するものである。
【背景技術】
【０００２】
研削盤の機外で砥石車を砥石修正装置によってツルーイングし、それと同じ取付基準で砥石車を研削盤に取付けるようにしたものが、特許文献１に記載されている。【０００３】
特許文献１に記載のものは、砥石修正装置および研削盤の各砥石軸の取付面（外周面）と、この取付面に取付けられる砥石車の取付穴（内周面）との間に、砥石車を砥石軸に嵌合しやすい程度のクリアランスを設けることにより、砥石車の砥石軸への着脱作業を容易に行えるようにしている。【０００４】
また、砥石軸にテーパ嵌合可能な砥石スリーブに、砥石層を有する円板状の砥石保持体を装着するボス部を設け、このボス部に砥石保持体の内径と同径で、かつ１８０度以下の円弧状の砥石装着部を形成したものが、特許文献２に記載されている。【０００５】
特許文献２に記載のものは、砥石保持体を砥石スリーブの砥石装着部に容易に装着することができるとともに、砥石保持体を砥石スリーブと同心状態に保持できるようになっている。
【先行技術文献】
【特許文献】
【０００６】
【特許文献１】特開平７−４０２３７公報
【特許文献２】特開昭６１−１８２７６７公報
【発明の概要】
【発明が解決しようとする課題】
【０００７】
しかしながら、特許文献１に記載のものは、特許文献１の図８に示されるように、砥石軸１の取付面１ａの外径よりも砥石車２の取付穴２ａの内径を大きくすることにより、クリアランスＣＬを付与するものであるので、砥石修正装置によって砥石車をツルーイングする際に、砥石軸１の中心Ｏ１に対して砥石車２の中心Ｏ２が偏心量εだけ偏心して取付けられることになる。このために、砥石車２の砥石層３が砥石コア４の外周面に対して偏心してツルーイングされるようになる。従って、砥石層３を砥石軸１に対して真円にツルーイングするためには、砥石層３の円周上の一部におけるツルーイング量Ｑ１を局所的に多くしなければならず、砥石車２の寿命が短くなる問題がある。【０００８】
また、特許文献２に記載のものは、特許文献２の図１に示されるように、砥石保持体（２）を、締付ボルト（１１）によって砥石スリーブ（５）と締付フランジ（１０）との間で挟着し、しかる状態で、砥石スリーブ（５）を砥石軸（１２）にテーパ嵌合し、締付ナット（１３）によって締付固定することにより、砥石車（１）を（砥石軸１２）と同心的に取付けるものである。従って、砥石車を交換する毎に、重量のある砥石スリーブ等を砥石軸から取外し、かつ取付ける必要があり、砥石交換の作業性が悪く、砥石交換に要する時間が長くなる問題がある。【０００９】
しかも、特許文献２に記載のものでは、砥石スリーブ（５）のボス部（６）に形成した円弧状の砥石装着部（６ａ）の突出量が小さいと、砥石保持体（２）の装着時の隙間が小さくなり、砥石スリーブ（５）の砥石装着部（６ａ）への砥石保持体（２）の装着が難しくなる。そのため、砥石保持体（２）の装着を容易にするためには、砥石装着部（６ａ）の突出量を大きくする必要があり、砥石スリーブ（５）の回転アンバランスが大きくなる問題があった。【００１０】
本発明は、上述した従来の問題を解消するためになされたもので、交換する砥石車の重量を軽減して、砥石車を砥石フランジに容易に装着することができ、かつ芯出し精度を確保して取付けることができる砥石車の取付装置を提供することを目的とするものである。
【課題を解決するための手段】
【００１１】
上記の課題を解決するため、請求項１に係る発明の特徴は、砥石軸の外周に着脱可能に固着された砥石フランジに対して、外周に砥石層を設けた砥石車を取付ける取付装置であって、前記砥石フランジに、前記砥石車の内周面を取付ける砥石取付軸部を設け、該砥石取付軸部の外周に、前記砥石車の内周面の径寸法よりも径方向寸法の小さな嵌合導入部を形成し、該嵌合導入部の基端部に、前記砥石車を前記砥石取付軸部に同心的に嵌合保持する円弧状の嵌合凸部を１８０度未満の角度範囲に亘って形成し、前記嵌合導入部の前記砥石取付軸部の軸端側に、前記嵌合導入部より径方向寸法の小さな逃がし部を、前記嵌合凸部から軸線方向に離間し、かつ前記嵌合凸部と円周方向に対向する位置に所定の角度範囲に亘って形成し、前記砥石取付軸部の前記嵌合凸部に前記砥石車の内周面を嵌合した状態で、前記砥石車を前記砥石フランジの端面にボルトによって固定するようにしたことである。【００１２】
請求項２に係る発明の特徴は、請求項１において、前記嵌合導入部および逃がし部を、前記嵌合凸部と同心の円筒形状としたことである。【００１３】
請求項３に係る発明の特徴は、請求項１または請求項２において、前記砥石フランジに、前記嵌合凸部に対応する角度位置にアップマークを設けたことである。【００１４】
請求項４に係る発明の特徴は、請求項３において、前記砥石フランジに装着される前記砥石車は、予め機外において内周を基準にして前記砥石層の外周を成形され、前記砥石車には、前記アップマークに対応する合わせマークが設けられていることである。【００１５】
請求項５に係る発明の特徴は、砥石軸の外周に着脱可能に固着された砥石フランジに対して、外周に砥石層を設けた砥石車を取付ける取付装置であって、前記砥石フランジに、前記砥石車の内周面を取付ける砥石取付軸部を設け、前記砥石取付軸部の基端部に砥石嵌合部を形成し、前記砥石取付軸部の外周に、前記砥石嵌合部の径寸法よりも径方向寸法の小さな嵌合導入部を形成し、前記砥石車の内周に、前記砥石車を前記砥石嵌合部と同心的に嵌合する円弧状の嵌合凸部を１８０度未満の角度範囲に亘って形成するとともに、逃がし円弧部を１８０度以上の角度範囲に亘って形成するとともに、逃がし円弧部を１８０度以上の角度範囲に亘って形成し、前記嵌合導入部の前記砥石取付軸部の軸端側に、前記嵌合導入部より径方向寸法の小さな逃がし部を、前記砥石嵌合部から軸線方向に離間し、かつ前記砥石車の前記嵌合凸部と円周方向に対向する位置に所定の角度範囲に亘って形成し、前記砥石取付軸部の前記砥石嵌合部に前記砥石車の前記嵌合凸部を嵌合した状態で、前記砥石車を前記砥石フランジの端面にボルトによって固定するようにしたことである。
【発明の効果】
【００１６】
上記のように構成した請求項１に係る発明によれば、嵌合導入部の形成によって、砥石フランジの砥石取付軸部に砥石車を取付ける際に、砥石車を砥石取付軸部に隙間を有した状態で挿入できるようになり、砥石車を砥石取付軸部に装着した後は、砥石車を嵌合導入部上で滑らせながら、砥石車の内周面を嵌合凸部に嵌合させることができる。【００１７】
これにより、砥石車の砥石フランジへの取付けを容易に行うことができるので、砥石取付軸部と砥石車との間の隙間を可及的に小さくすることが可能となり、研削屑等の異物やクーラントが隙間内に入りにくくすることができるとともに、砥石フランジの回転アンバランスを小さくでき、バランス取り作業が容易となる。【００１８】
また、砥石取付軸部の軸端側に逃がし部を、嵌合凸部から軸線方向に離間して所定の角度範囲に亘って形成したので、逃がし部と嵌合凸部との間に嵌合導入部を全周に亘って形成することができ、これによって、砥石車を嵌合導入部上で案内している際に砥石車が上下左右に傾いても、嵌合導入部によって傾きが規制され、砥石取付軸部と砥石車との間の隙間が小さくても、砥石車を嵌合凸部にスムーズに嵌合させることができる。【００１９】
しかも、請求項１に係る発明によれば、砥石車の内周面と嵌合凸部との嵌合によって、砥石車の中心を砥石フランジの中心に一致させることができ、砥石フランジに対する砥石車の同心精度を確保することができる。加えて、砥石フランジの砥石取付軸部に対して、円板状の砥石車を取付けるだけであるので、砥石車を交換する際の交換重量を低減でき、砥石交換の作業性を向上することができる。【００２０】
請求項２に係る発明によれば、嵌合導入部および逃がし部を、嵌合凸部と同心の円筒形状としたので、嵌合導入部および逃がし部の形成を容易に行うことができる。【００２１】
請求項３に係る発明によれば、砥石フランジに、嵌合凸部に対応する角度位置にアップマークを設けたので、砥石車の装着時に砥石フランジの嵌合凸部を上向きの角度位置に容易に位置決めすることができる。【００２２】
請求項４に係る発明によれば、砥石フランジに装着される砥石車は、予め機外において内周を基準にして砥石層の外周を成形され、砥石車には、アップマークに対応する合わせマークが設けられているので、砥石車の合わせマークを砥石フランジのアップマークに合うように砥石フランジに装着することにより、成形時と同じ取付基準で砥石車を研削盤の砥石フランジに容易に取付けることができる。【００２３】
請求項５に係る発明によれば、砥石車の内周側に、嵌合凸部と逃がし円弧部を設け、砥石フランジの砥石取付軸部側に、嵌合円弧部に嵌合する砥石嵌合部と導入嵌合部と逃がし部を設けたので、請求項１で述べたと同様な作用効果を奏することができる。
【図面の簡単な説明】
【００２４】
【図１】本発明の実施に好適な研削盤の平面図である。
【図２】本発明の第１の実施の形態を示すもので、図１の矢印２方向から見た砥石取付装置の拡大正面図である。
【図３】図２の３−３線に沿って切断した砥石取付装置の断面図である。
【図４】砥石フランジの砥石取付軸部を示す斜視図である。
【図５】砥石車を成形する成形装置の一例を示す平面図である。
【図６】本発明の第２の実施の形態を示す砥石取付装置の断面図である。
【図７】図６の７−７線に沿って切断した断面図である。
【図８】従来技術における砥石軸と砥石車との関係を示す図である。
【発明を実施するための形態】
【００２５】
以下本発明の実施の形態を図面に基づいて説明する。図１は本実施の形態に好適な研削盤１０の平面図を示し、研削盤１０のベッド１１上には、テーブル１２がＺ軸方向に移動可能に支持され、ベッド１１に設置されたサーボモータ１３の駆動により、図略の送りねじ機構を介して移動されるようになっている。テーブル１２上には、主軸台１４と心押台１５が対向して設置され、これら主軸台１４と心押台１５によって、工作物ＷがＺ軸方向と平行な軸線の回りに回転可能に支持される。
【００２６】
また、ベッド１１上には、砥石台１７がＺ軸に交差するＸ軸方向に移動可能に支持され、ベッド１１に設置されたサーボモータ１８の駆動により、図略の送りねじ機構を介して移動されるようになっている。砥石台１７には、砥石車１９を保持するための砥石軸２０が砥石台１７の移動方向と垂直な水平軸線の回りに回転可能に支持され、砥石軸２０は砥石台１７に設置された砥石駆動モータ２１によって回転駆動される。
【００２７】
テーブル１２および砥石台１７を駆動するサーボモータ１３、１８は、ＮＣ装置２９によってＮＣ制御されるようになっており、テーブル１２のＺ軸方向移動と、砥石台１７のＸ軸方向の進退移動とにより、工作物Ｗを砥石車１９によって研削加工するようになっている。
【００２８】
図２および図３は、本発明の第１の実施の形態を示すもので、砥石車１９は、外周面２５ｂに砥石層２４を設けた円板状の砥石コア２５を備え、砥石コア２５の中心部には真円からなる内周面２５ａを有する中心穴が形成されており、砥石コア２５の外周面２５ｂおよび内周面２５ａは同心加工されている。砥石車１９は、砥石軸２０上にテーパ嵌合されて締付ナット２６により着脱可能に固着された砥石フランジ２３に、後述するように着脱可能に取付けられるようになっている。砥石軸２０に固着された砥石フランジ２３は、図略のバランス取り装置によってバランス取りされる。
【００２９】
砥石フランジ２３には、砥石取付軸部２３ａが砥石フランジ２３の中心（砥石軸２０）と同心的に形成され、この砥石取付軸部２３ａに砥石コア２５の内周面２５ａが嵌合されるようになっている。砥石フランジ２３の砥石取付軸部２３ａに嵌合された砥石車１９は、砥石コア２５の円周上に形成した複数のボルト孔を挿通する複数のボルト２７によって、砥石フランジ２３の端面に固定される。なお、砥石層２４は、例えば、ＣＢＮ砥粒をビトリファインドボンドで結合したものからなっている。
【００３０】
砥石フランジ２３の砥石取付軸部２３ａは、図３に示すように、砥石車１９の砥石コア２５の軸方向幅よりも十分に大きな軸方向長さを有している。砥石取付軸部２３ａの外周には、図４にも示すように、砥石車１９を装着する際に円周隙間を形成するための嵌合導入部２３ａ１が形成されている。嵌合導入部２３ａ１は、砥石取付軸部２３ａ（砥石フランジ２３）の回転中心Ｏ１と同心的な円筒形状に形成され、その外径Ｄ１は、砥石コア２５の内周面２５ａの内径（後述する嵌合凸部２３ａ２の外径）Ｄ０より僅かな寸法、例えば、０．０５ｍｍ程度小径に設定されている（Ｄ０＞Ｄ１）。
【００３１】
砥石取付軸部２３ａの嵌合導入部２３ａ１の基端部、すなわち、砥石フランジ２３の端面側には、砥石コア２５の内周面２５ａの内径（Ｄ０）とほぼ同径の嵌合凸部２３ａ２が、１８０度未満の角度範囲θ、例えば９０度の角度範囲に亘って、嵌合導入部２３ａ１と同心的に形成されている。９０度の角度範囲に嵌合凸部２３ａ２を形成することにより、砥石車１９と砥石取付軸部２３ａとの間には、上下方向のみならず、左右方向にも隙間を形成することできる。
【００３２】
この結果、砥石フランジ２３の砥石取付軸部２３ａの嵌合導入部２３ａ１の基端部には、嵌合凸部２３ａ２を除く部分に、嵌合凸部２３ａ２より小径部分（嵌合導入部２３ａ１）が、１８０度を超える角度範囲に亘って形成される。
【００３３】
嵌合導入部２３ａ１の形成により、砥石フランジ２３の砥石取付軸部２３ａに砥石車１９を取付ける際に、砥石車１９の内周面２５ａを砥石取付軸部２３ａの中心Ｏ１に対して、砥石取付軸部２３ａの全周に隙間を有した状態で砥石車１９を挿入することができ、砥石取付軸部２３ａへの砥石車１９の取付け作業を容易に行えるようになる。
【００３４】
しかも、砥石車１９を砥石取付軸部２３ａの嵌合導入部２３ａ１に挿入した後、砥石車１９を離すと、重力作用によって砥石車１９の内周面２５ａが砥石取付軸部２３ａの嵌合導入部２３ａ１に支持され、砥石車１９は取付け軸方向に垂直に位置決め支持される。従って、その状態で、砥石車１９を嵌合導入部２３ａ１上を滑らせながら砥石フランジ２３の端面に向かって移動させることにより、砥石車１９の内周面２５ａを嵌合凸部２３ａ２に容易に嵌合させることができる。
【００３５】
すなわち、嵌合凸部２３ａ２と嵌合導入部２３ａ１の段差寸法は小さく、砥石車１９の径によっても異なるが、例えば、０．０１５〜０．３５ｍｍ（好ましくは、０．０２５ｍｍ）であるので、砥石車１９を嵌合導入部２３ａ１上を滑らせることにより、砥石車１９を砥石取付軸部２３ａの嵌合凸部２３ａ２に容易に嵌合させることができる。この場合、砥石車１９の内周面２５ａの端部に面取りを形成してもよい。この状態（砥石フランジ２３の嵌合凸部２３ａ２に砥石車１９の内周面２５ａが嵌合された状態）においては、砥石車１９の内周面２５ａと砥石取付軸部２３ａとの間に、半周以上に亘ってクリアランスＣＬが形成されるとともに、砥石車１９の中心が、砥石取付軸部２３ａの中心Ｏ１、延いては、砥石軸２０の中心に一致され、芯出し精度が確保される。
【００３６】
このように、嵌合導入部２３ａ１を案内にして、砥石車１９を砥石取付軸部２３ａの嵌合凸部２３ａ２に嵌合保持できるので、砥石取付軸部２３ａと砥石車１９との間の隙間ＣＬを小さくしても、砥石フランジ２３への砥石車１９の取付けを容易に行うことができる。
【００３７】
従って、砥石取付軸部２３ａと砥石車１９との間の隙間ＣＬを可及的に小さくすることが可能となる。言い換えれば、嵌合凸部２３ａ２の突出量を小さくすることが可能となるので、砥石フランジ２３の回転アンバランスを小さくでき、砥石フランジ２３のバランス取り作業が容易となる。しかも隙間ＣＬを小さくできることにより、研削屑等の異物やクーラントが隙間ＣＬ内に侵入しにくくすることができ、錆びの発生を抑制することができる。
【００３８】
しかも、砥石軸２０に固定された砥石フランジ２３の砥石取付軸部２３ａに対して、円板状の砥石車１９を着脱するだけでよいので、砥石車１９を交換する際の交換砥石重量を低減でき、砥石交換作業を簡単かつ迅速に行うことができる。
【００３９】
砥石フランジ２３の砥石取付軸部２３ａの嵌合導入部２３ａ１の端部（砥石取付軸部２３ａの軸端）には、嵌合導入部２３ａ１より小径の逃がし部２３ａ３が、嵌合凸部２３ａ２から軸線方向に所定量離間し、かつ嵌合凸部２３ａ２と１８０度異なる円周位置に、１８０度を超える角度範囲、例えば２７０度程度の角度範囲に亘って形成されている。逃がし部２３ａ３は、嵌合導入部２３ａ１と同心の円弧状に形成され、その外径Ｄ２は、嵌合導入部２３ａ１の外径Ｄ１に対して、例えば、０、１ｍｍ程度小径に設定されている（Ｄ１＞Ｄ２）。
【００４０】
これにより、砥石フランジ２３が嵌合凸部２３ａ２を上向きとした角度に位置決めされた場合に、砥石取付軸部２３ａの軸端の径方向寸法Ｓ１（図２参照）を、嵌合導入部２３ａ１の外径Ｄ１よりも小さくすることができる。従って、砥石車１９を砥石フランジ２３の砥石取付軸部２３ａへ装着する際に、仮に砥石車１９が前後方向あるいは左右方向に傾くことにより、砥石車１９の内周面２５ａの実質的な径寸法が小さくなっても、逃がし部２３ａ３の形成によって、砥石コア２５を砥石フランジ２３の砥石取付軸部２３ａに挿入しやすくすることができる。
【００４１】
しかも、逃がし部２３ａ３が、嵌合凸部２３ａ２から軸線方向に所定量離間して形成され、嵌合凸部２３ａ２と逃がし部２３ａ３との間に、嵌合導入部２３ａ１が全周に亘って形成されているので、砥石車１９を嵌合導入部２３ａ１上で滑らせている際に多少左右に傾いても、嵌合導入部２３ａ１によって傾きを規制でき、小さな隙間であっても、砥石車１９を嵌合凸部２３ａ２にスムーズに嵌合させることが可能となる。
【００４２】
上記したように、嵌合凸部２３ａ２と嵌合導入部２３ａ１の段差が小さいから、砥石車１９は上下左右方向に円滑に案内されることにより、段部（嵌合凸部２３ａ２）にスムーズに乗り上げることができる。しかも、砥石車１９の内周面２５ａと砥石取付軸部２３ａとの間のクリアランスＣＬが小さいと、砥石車１９を砥石取付軸部２３ａに入れにくくなるが、砥石取付軸部２３ａの入口部（軸端部）に逃がし部２３ａ３が形成されているので、クリアランスＣＬが小さくても、砥石車１９を砥石取付軸部２３ａに容易に装着できるようになる。
【００４３】
なお、嵌合導入部２３ａ１、嵌合凸部２３ａ２、ならびに逃がし部２３ａ３を、砥石フランジ２３の回転中心と同心的に形成したことにより、円筒研削盤によって、嵌合導入部２３ａ１、嵌合凸部２３ａ２ならびに逃がし部２３ａ３を、比較的容易に加工できる。
【００４４】
具体的には、まず、砥石取付軸部２３ａの外周を直径Ｄ０に加工に、しかる後、嵌合凸部２３ａ２を所定の角度範囲に亘って突設させるように直径Ｄ１の嵌合導入部２３ａ１を加工し、最後に、径寸法がＤ２の逃がし部２３ａ３を所定の角度範囲に亘って加工する
【００４５】
砥石車１９の砥石コア２５の側面には、図２に示すように、砥石車１９を砥石フランジ２３の砥石取付軸部２３ａに取付ける際の方向性を示す取付指標としての合わせマークＭ１が付与されている。これにより、砥石車１９を、合わせマークＭ１が砥石フランジ２３の砥石取付軸部２３ａに形成された嵌合凸部２３ａ２に一致する角度で容易に装着することができる。
【００４６】
一方、砥石フランジ２３の砥石取付軸部２３ａの側面には、図２および図３に示すように、砥石車１９を取付ける方向性を示すアップマークＭ２が、嵌合凸部２３ａ２に対応する角度位置に付与されている。砥石フランジ２３は、通常、アップマークＭ２（嵌合凸部２３ａ２）が鉛直方向の上方に位置する角度位置に位置決めされ、この状態で、砥石車１９の内周面２５ａが砥石取付軸部２３ａに装着される。
【００４７】
この場合、砥石車１９が前もって、後述する成形装置３０等によって成形（ツルーイング）されている場合には、図２で示したように、砥石車１９に砥石フランジ２３の砥石取付軸部２３ａに取付ける際の方向性を示す合わせマークＭ１を形成し、この合わせマークＭ１を、砥石フランジ２３に形成されたアップマークＭ２に一致するように、砥石車１９を砥石フランジ２３の砥石取付軸部２３ａに取付ければよい。これによって、砥石成形時と同じ取付基準で砥石車１９を砥石フランジ２３に取付けることができるようになり、砥石フランジ２３に取付けた砥石車１９の同心精度を確保することができる。
【００４８】
次に、研削盤１０の砥石フランジ２３に砥石車１９を取付けるに先立って、砥石車１９を製品として完成させるための成形（ツルーイング）工程について説明する。
【００４９】
図５は、砥石車１９を成形する成形装置３０の一例を示すもので、成形装置３０のベッド３１上には、テーブル３２がＺ軸方向に移動可能に支持され、ベッド３１に設置されたサーボモータ３３の駆動により、図略の送りねじ機構を介して移動されるようになっている。テーブル３２上には、成形台３４が固定されており、成形台３４には、砥石車１９をツルーイングするダイヤモンドロール３５が、Ｚ軸方向に平行な軸線の回りに回転可能に支持されている。ダイヤモンドロール３５は、成形台３４に設置された図略のモータによって回転駆動される。
【００５０】
また、ベッド３１上には、砥石支持台３７がＺ軸に交差するＸ軸方向に移動可能に支持され、ベッド３１に設置されたサーボモータ３８の駆動により、図略の送りねじ機構を介して移動されるようになっている。砥石支持台３７には、砥石車１９を取付けるための砥石取付軸部を有する図略の砥石フランジが、砥石支持台３７の移動方向と垂直な水平軸線の回りに回転可能に支持され、砥石フランジは砥石支持台３７に設置された砥石駆動モータ４０によって回転駆動される。
【００５１】
砥石フランジの砥石取付軸部は、研削盤１０の砥石軸２０上に装着された砥石フランジ２３の砥石取付軸部２３ａと同様な構成をなすもので、外周の一部が半周以上に亘って砥石取付軸部２３ａの外径より所定の寸法だけ小径にした逃がし部が形成され、逃がし部を除く半周以下に、砥石コア２５の内周面２５ａに同心的に合致嵌合する円弧状の嵌合凸部が形成されている。
【００５２】
テーブル３２および砥石支持台３７を駆動するサーボモータ３３、３８は、ＮＣ装置４３によって制御され、テーブル３２のＺ軸方向移動と、砥石支持台３７のＸ軸方向の進退移動とにより、ダイヤモンドロール３５によって砥石車１９の外周を、砥石車１９の内周面２５ａを基準にして、真円に成形（ツルーイング）するようになっており、また、必要に応じて、バランス取りが実施される。
【００５３】
このようにして、砥石車１９が製品として完成され、砥石車１９の砥石コア２５の側面には、砥石成形（ツルーイング）時と同一の取付基準で、砥石車１９を研削盤１０の砥石フランジ２３に取付けることができるように、成形装置３０の砥石フランジの嵌合凸部と対応した位置に、合わせマークＭ１（図２参照）が形成される。
【００５４】
この場合、合わせマークＭ１は、砥石車１９を成形装置３０に取付ける前に形成しておき、この合わせマークＭ１を砥石フランジの嵌合凸部と対応するように、砥石フランジに取付けるようにしてもよい。
【００５５】
次に上記した第１の実施の形態における作用について説明する。研削盤１０で使用していた砥石車１９が寿命に達した場合には、ボルト２７を緩めて、砥石車１９を砥石フランジ２３より取外し、予め製品として完成されている砥石車１９と交換する。
【００５６】
砥石交換時には、砥石フランジ２３は、アップマークＭ２（嵌合凸部２３ａ２）が上向きとなるように位置決めされ、このアップマークＭ２に砥石車１９の合わせマークＭ１を位置合わせした状態で、砥石車１９を砥石フランジ２３の砥石取付軸部２３ａに装着する。
【００５７】
この際、砥石フランジ２３の砥石取付軸部２３ａには、砥石車１９の内周面２５ａよりも小径の嵌合導入部２３ａ１が全周に亘って形成されているので、砥石取付軸部２３ａの全周に隙間を有した状態で砥石車１９を挿入することができる。
【００５８】
しかも、砥石取付軸部２３ａの軸端には、嵌合導入部２３ａ１より小径の逃がし部２３ａ３が形成されているので、砥石車１９を砥石フランジ２３の砥石取付軸部２３ａ装着する際に、砥石車１９が多少傾いていても、砥石コア２５を砥石フランジ２３の砥石取付軸部２３ａに挿入しやすくすることができる。
【００５９】
このようにして、砥石車１９を砥石取付軸部２３ａの嵌合導入部２３ａ１に挿入した後、砥石車１９を離すと、重力作用によって砥石車１９の内周面２５ａが砥石取付軸部２３ａの嵌合導入部２３ａ１に支持できる。従って、作業者は、砥石車１９を砥石取付軸部２３ａの嵌合導入部２３ａ１に支持した状態で、砥石車１９を砥石フランジ２３の端面に向かって嵌合導入部２３ａ１上を滑らせるだけで、砥石車１９の内周面２５ａを嵌合凸部２３ａ２に嵌合させることができる。
【００６０】
この際、逃がし部２３ａ３が嵌合凸部２３ａ２から軸線方向に所定量離間して形成されていることにより、砥石車１９を嵌合導入部２３ａ１で滑らせる際に、砥石車１９が多少傾いていても、嵌合導入部２３ａ１の案内によって砥石車１９を嵌合凸部２３ａ２にスムーズに嵌合できるようになる。
【００６１】
砥石取付軸部２３ａの嵌合凸部２３ａ２に嵌合された砥石車１９は、砥石フランジ２３に対して同心上に位置決め保持される。この状態で、図２および図３に示すように、砥石コア２５の円周上に形成した複数のボルト孔を挿通する複数のボルト２７によって、砥石コア２５を砥石フランジ２３の端面に締付け、砥石車１９を砥石フランジ２３に固定する。
【００６２】
上記した第１の実施の形態によれば、砥石車１９は、成形（ツルーイング）時と同一の取付基準で砥石取付軸部２３ａに取付けられることになり、研削盤１０に取付けられた砥石車１９は、砥石取付軸部２３ａ、延いては砥石軸２０に同心状態に保持され、真円精度が確保される。従って、砥石車１９を研削盤１０に取付けた後に、砥石車１９のツルーイングを行わなくても、砥石車１９の高速回転時に振動等が発生することがなく、高精度な研削を可能にできる。
【００６３】
しかも、嵌合導入部２３ａ１の形成によって、砥石取付軸部２３ａの全周に隙間を有した状態で砥石車１９を挿入することができるので、嵌合凸部２３ａ２の突出量を小さくできる。これにより、砥石フランジ２３の回転アンバランスを小さくでき、砥石フランジ２３のバランス取り作業が容易となる。しかも隙間ＣＬが小さくなって、研削屑等の異物やクーラントが隙間ＣＬ内に入りにくくすることができる。
【００６４】
さらに、逃がし部２３ａ３の形成によって、砥石取付軸部２３ａへの砥石車１９の挿入時に砥石車１９が多少傾いていても、小さな隙間で、砥石取付軸部２３ａに砥石車１９を容易に取付けることができる。加えて、逃がし部２３ａ３が、嵌合凸部２３ａ２から軸線方向に所定量離間して形成されているので、嵌合凸部２３ａ２と逃がし部２３ａ３との間に、嵌合導入部２３ａ１が全周に亘って形成され、砥石車１９を嵌合導入部２３ａ１で滑らせている際に、砥石車１９が多少傾いていても、嵌合導入部２３ａ１の案内によって砥石車１９を嵌合凸部２３ａ２にスムーズに嵌合することができる。
【００６５】
また、砥石フランジ２３を砥石軸２０に固定した状態で、円板状の砥石車１９のみを交換すればよいので、砥石交換重量を低減でき、砥石交換を簡単かつ短時間で行えるようになる。
【００６６】
このような結果、砥石メーカにおいて、上記した構成の砥石フランジ２３を、砥石車１９を用いて工作物を加工するユーザに提供し、研削盤１０の砥石軸２０に固定しておく。そのうえで、内周面２５ａを基準にして成形（ツルーイング）し、完成させた砥石車１９を、砥石メーカよりユーザに必要に応じて補給することにより、ユーザにおいて、交換重量の小さな砥石車１９を、簡単にしてかつ同心精度を確保して取付けることができる。これにより、ユーザにおいては、段取り替えに要する時間を大幅に短縮でき、生産効率を向上することができる。
【００６７】
なお、ＣＢＮ砥石からなる円板状の砥石車１９に代えて、普通砥石を砥石軸２０に取付ける場合には、砥石軸２０より砥石フランジ２３を取外し、砥石軸２０に普通砥石を挟持した砥石スリーブを装着すればよい。
【００６８】
図６および図７は、本発明の第２の実施の形態を示すもので、第１の実施の形態と異なる点は、砥石取付軸部２３ａ側に設けられていた嵌合凸部を、砥石車１９の内周側に設けた点である。従って、以下においては、主に第１の実施の形態と異なる点を説明し、第１の実施の形態と同一の構成部品については、同一の参照符号を付し、説明を省略する。
【００６９】
図６および図７において、砥石フランジ２３の砥石取付軸部２３ａの基端部には、砥石嵌合部２３ａ５が、砥石車１９の砥石コア２５の軸方向幅よりも小さな軸方向長さで、全周に亘って形成されている。砥石取付軸部２３ａには、砥石嵌合部２３ａ５と僅かな段差を有する嵌合導入部２３ａ１が、砥石取付軸部２３ａの軸端に亘って砥石嵌合部２３ａ５と同心的に形成されている。嵌合導入部２３ａ１の外径は、砥石嵌合部２３ａ５の外径より、例えば、０．０５ｍｍ程度小径に設定されている。
【００７０】
砥石取付軸部２３ａの嵌合導入部２３ａ１の端部（砥石取付軸部２３ａの軸端）には、嵌合導入部２３ａ１より小径の逃がし部２３ａ３が、砥石嵌合部２３ａ５から軸線方向に所定量離間し、かつアップマークＭ２と１８０度異なる円周位置に、１８０度を超える角度範囲、例えば２７０度程度の角度範囲に亘って形成されている。逃がし部２３ａ３は、嵌合導入部２３ａ１と同心の円弧状に形成され、その外径は、嵌合導入部２３ａ１の外径に対して、例えば、０、１ｍｍ程度小径に設定されている。
【００７１】
砥石車１９（砥石コア２５）の内周面２５ａには、図７に示すように、砥石取付軸部２３ａの砥石嵌合部２３ａ５の外径とほぼ同径の嵌合凸部２５ａ２が、１８０度未満の角度範囲θ、例えば９０度の角度範囲に亘って、砥石車１９の中心と同心的に形成されている。砥石車１９の内周面２５ａの嵌合凸部２５ａ２を除く部分には、嵌合凸部２５ａ２よりも大径の逃がし円弧部２５ａ３が、１８０度を超える角度範囲に亘って形成される。
【００７２】
嵌合導入部２３ａ１の形成により、砥石フランジ２３の砥石取付軸部２３ａに砥石車１９を取付ける際に、砥石車１９の内周面２５ａを砥石取付軸部２３ａの中心に対して、砥石取付軸部２３ａの全周に隙間を有した状態で砥石車１９を挿入することができ、砥石取付軸部２３ａへの砥石車１９の取付け作業を容易に行えるようになる。
【００７３】
しかも、砥石車１９を砥石取付軸部２３ａの嵌合導入部２３ａ１に挿入した後、砥石車１９を離すと、重力作用によって砥石車１９の嵌合凸部２５ａ２が砥石取付軸部２３ａの嵌合導入部２３ａ１に支持され、砥石車１９は取付け軸方向に垂直に位置決め支持される。従って、その状態で、砥石車１９を嵌合導入部２３ａ１上を滑らせながら砥石フランジ２３の端面に向かって移動させることにより、砥石車１９の嵌合凸部２５ａ２を砥石嵌合部２３ａ５に容易に嵌合させることができる。
【００７４】
すなわち、砥石嵌合部２３ａ５と嵌合導入部２３ａ１の段差寸法は小さい（例えば、０．０１５〜０．３５ｍｍ（好ましくは、０．０２５ｍｍ）ので、砥石車１９を嵌合導入部２３ａ１上を滑らせることにより、砥石車１９の嵌合凸部２５ａ２を砥石取付軸部２３ａの砥石嵌合部２３ａ５に容易に嵌合させることができる。この状態においては、砥石車１９の嵌合凸部２５ａ２と砥石嵌合部２３ａ５との間に、半周以上に亘ってクリアランスＣＬが形成されるとともに、砥石車１９の中心が、砥石取付軸部２３ａの中心、延いては、砥石軸２０の中心に一致され、芯出し精度が確保される。
【００７５】
上記した第２の実施の形態によれば、砥石車１９の内周側に、嵌合凸部２５ａ２と逃がし円弧部２５ａ３を設けた場合でも、先に述べた第１の実施の形態と同様に、嵌合導入部２３ａ１によって、砥石車１９の嵌合凸部２５ａ２を砥石取付軸部２３ａの砥石嵌合部２３ａ５に容易に嵌合させることができる。
【００７６】
また、逃がし部２３ａ３によって、砥石取付軸部２３ａへの砥石車１９の挿入時に砥石車１９が多少傾いていても、小さな隙間で、砥石取付軸部２３ａに砥石車１９を容易に取付けることができる。さらに、逃がし部２３ａ３が、砥石嵌合部２３ａ５から軸線方向に所定量離間して形成されているので、砥石嵌合部２３ａ５と逃がし部２３ａ３との間に、嵌合導入部２３ａ１が全周に亘って形成され、砥石車１９を嵌合導入部２３ａ１で滑らせている際に、砥石車１９が多少傾いていても、嵌合導入部２３ａ１の案内によって砥石車１９を砥石嵌合部２３ａ５にスムーズに嵌合させることができる。
【００７７】
さらに、砥石フランジ２３を砥石軸２０に固定した状態で、円板状の砥石車１９のみを交換すればよいので、砥石交換重量を低減でき、砥石交換を簡単かつ短時間で行えるようになる。
【００７８】
上記した実施の形態においては、予め研削盤１０の機外において、成形装置３０により砥石車１９を成形（ツルーイング）し、成形後の砥石車１９を、成形時と同じ取付基準で研削盤１０に取付けるようにした例について述べたが、本発明は、砥石フランジ２３の砥石取付軸部２３ａに取付ける砥石車１９を、成形装置３０によって前もって成形するものに限定されるものではない。なお、砥石車１９を、成形装置３０によって前もって成形しない場合には、砥石車１９に合わせマークＭ１を設けることも不要となる。
【００７９】
また、上記した実施の形態においては、嵌合導入部２３ａ１および逃がし部２３ａ３を、砥石フランジ２３の中心と同心の円弧状とした例について述べたが、必ずしも砥石フランジ２３の中心と同心の円弧面である必要はなく、嵌合導入部２３ａ１および逃がし部２３ａ３の機能を損わない範囲内で、それらの形状を変更することは可能である。
【００８０】
なお、実施の形態で述べた嵌合導入部２３ａ１、嵌合凸部２３ａ２（砥石嵌合部２３ａ５）および逃がし部２３ａ３の径寸法差や角度範囲は、単なる一例を示したものにすぎず、例えば、逃がし部２３ａ３は、少なくとも１８０度前後の角度範囲であれば、砥石車１９の前後方向の傾きに十分対応可能である。
【００８１】
以上、本発明の実施の形態について説明したが、本発明は上記した実施の形態に限定されることなく、特許請求の範囲に記載した本発明の主旨を逸脱しない範囲内で種々の変形が可能である。
【産業上の利用可能性】
【００８２】
本発明に係る砥石車の取付装置は、円板状の砥石車を砥石軸に固着された砥石フランジの砥石取付軸部に着脱可能に取付ける研削盤に用いるのに適している。
【符号の説明】
【００８３】
１０…研削盤、１７…砥石台、１９…砥石車、２０…砥石軸、２３…砥石フランジ、２３ａ…砥石取付軸部、２３ａ１…嵌合導入部、２３ａ２…嵌合凸部、２３ａ３…逃がし部、２３ａ５…砥石嵌合部、２４…砥石層、２５…砥石コア、２５ａ…内周面、２５ａ２…嵌合凸部、２５ａ３…逃がし円弧部、２７…ボルト、３０…成形装置、Ｍ１…合わせマーク、Ｍ２…アップマーク。
【図１】
2013088574.tif 000003
【図２】
2013088574.tif 000004
【図３】
2013088574.tif 000005
【図４】
2013088574.tif 000006
【図５】
2013088574.tif 000007
【図６】
2013088574.tif 000008
【図７】
2013088574.tif 000009
【図８】
2013088574.tif 000010
【手続補正書】
【提出日】平成26年5月30日(2014.5.30)
【手続補正１】
【補正対象書類名】特許請求の範囲
【補正対象項目名】全文
【補正方法】変更
【補正の内容】
【特許請求の範囲】
【請求項１】
砥石軸の外周に着脱可能に固着された砥石フランジに対して、外周に砥石層を設けた砥石車を取付ける取付装置であって、
前記砥石フランジに、前記砥石車を取付ける砥石取付軸部を設け、
該砥石取付軸部の外周に、嵌合導入部を形成し、
該嵌合導入部の基端部に、円弧状の嵌合凸部を１８０度未満の角度範囲に亘って形成し、
前記砥石車に、前記嵌合導入部の径寸法より大きな径寸法を有し、かつ前記嵌合凸部の径寸法と同心的に合致嵌合する径寸法を有する中心穴を形成し、
前記嵌合導入部の前記砥石取付軸部の軸端側に、前記嵌合導入部より径方向寸法の小さな逃がし部を、前記嵌合凸部から軸線方向に離間し、かつ前記嵌合凸部と円周方向に対向する位置に所定の角度範囲に亘って形成し、
前記砥石取付軸部の前記嵌合凸部に前記砥石車の前記中心穴を同心的に合致嵌合した状態で、前記砥石車を前記砥石フランジの端面に固定するようにした、
ことを特徴とする砥石車の取付装置。
【請求項２】
請求項１において、前記嵌合導入部および前記逃がし部を、前記嵌合凸部と同心の円筒形状とした砥石車の取付装置。
【請求項３】
請求項１または請求項２において、前記砥石フランジに、前記嵌合凸部に対応する角度位置にアップマークを設けた砥石車の取付装置。
【請求項４】
請求項３において、前記砥石フランジに装着される前記砥石車は、予め機外において前記中心穴を基準にして前記砥石層の外周を成形され、前記砥石車には、前記アップマークに対応する合わせマークが設けられている砥石車の取付装置。
【請求項５】
砥石軸の外周に着脱可能に固着された砥石フランジに対して、外周に砥石層を設けた砥石車を取付ける取付装置であって、
前記砥石フランジに、前記砥石車を取付ける砥石取付軸部を設け、
前記砥石取付軸部の基端部に砥石嵌合部を形成し、
前記砥石取付軸部の外周に、嵌合導入部を形成し、
前記砥石車に、前記嵌合導入部の径寸法より大きな径寸法を有する中心穴を形成し、
前記砥石車の前記中心穴の内周に、前記砥石車を前記砥石嵌合部の径寸法とを同心的に合致嵌合する径寸法を有する円弧状の嵌合凸部を１８０度未満の角度範囲に亘って形成するとともに、逃がし円弧部を１８０度以上の角度範囲に亘って形成し、
前記嵌合導入部の前記砥石取付軸部の軸端側に、前記嵌合導入部より径方向寸法の小さな逃がし部を、前記砥石嵌合部から軸線方向に離間し、かつ前記砥石車の前記嵌合凸部と円周方向に対向する位置に所定の角度範囲に亘って形成し、
前記砥石取付軸部の前記砥石嵌合部に前記砥石車の前記嵌合凸部を同心的に合致嵌合した状態で、前記砥石車を前記砥石フランジの端面に固定するようにした、
ことを特徴とする砥石車の取付装置。
【請求項６】
砥石軸の外周に着脱可能に固着された砥石フランジに対して、外周に砥石層を設けた砥石車を取付ける取付方法であって、
前記砥石フランジに、前記砥石車を取付ける砥石取付軸部を設け、
該砥石取付軸部の外周に、嵌合導入部を形成し、
該嵌合導入部の基端部に、円弧状の嵌合凸部を１８０度未満の角度範囲に亘って形成し、
前記砥石車に、前記嵌合導入部の径寸法より大きな径寸法を有し、かつ前記嵌合凸部の径寸法と同心的に合致嵌合する径寸法を有する中心穴を形成し、
前記嵌合導入部の前記砥石取付軸部の軸端側に、前記嵌合導入部より径方向寸法の小さな逃がし部を、前記嵌合凸部から軸線方向に離間し、かつ前記嵌合凸部と円周方向に対向する位置に所定の角度範囲に亘って形成し、
前記砥石取付軸部の前記嵌合導入部に前記砥石車の前記中心穴を支持させ、その状態で前記砥石車を前記嵌合導入部によって案内しながら前記砥石取付軸部の軸線方向に移動させて、前記砥石車の前記中心穴を前記砥石取付軸部の前記嵌合凸部に同心的に合致嵌合させ、その状態で、前記砥石車を前記砥石フランジの端面に固定するようにした、
ことを特徴とする砥石車の取付方法。
【手続補正２】
【補正対象書類名】明細書
【補正対象項目名】００１１
【補正方法】変更
【補正の内容】
【００１１】
上記の課題を解決するため、請求項１に係る発明の特徴は、砥石軸の外周に着脱可能に固着された砥石フランジに対して、外周に砥石層を設けた砥石車を取付ける取付装置であって、前記砥石フランジに、前記砥石車を取付ける砥石取付軸部を設け、該砥石取付軸部の外周に、嵌合導入部を形成し、該嵌合導入部の基端部に、円弧状の嵌合凸部を１８０度未満の角度範囲に亘って形成し、前記砥石車に、前記嵌合導入部の径寸法より大きな径寸法を有し、かつ前記嵌合凸部の径寸法と同心的に合致嵌合する径寸法を有する中心穴を形成し、前記嵌合導入部の前記砥石取付軸部の軸端側に、前記嵌合導入部より径方向寸法の小さな逃がし部を、前記嵌合凸部から軸線方向に離間し、かつ前記嵌合凸部と円周方向に対向する位置に所定の角度範囲に亘って形成し、前記砥石取付軸部の前記嵌合凸部に前記砥石車の前記中心穴を同心的に合致嵌合した状態で、前記砥石車を前記砥石フランジの端面に固定するようにしたことである。
【手続補正３】
【補正対象書類名】明細書
【補正対象項目名】００１４
【補正方法】変更
【補正の内容】
【００１４】
請求項４に係る発明の特徴は、請求項３において、前記砥石フランジに装着される前記砥石車は、予め機外において前記中心穴を基準にして前記砥石層の外周を成形され、前記砥石車には、前記アップマークに対応する合わせマークが設けられていることである。
【手続補正４】
【補正対象書類名】明細書
【補正対象項目名】００１５
【補正方法】変更
【補正の内容】
【００１５】
請求項５に係る発明の特徴は、砥石軸の外周に着脱可能に固着された砥石フランジに対して、外周に砥石層を設けた砥石車を取付ける取付装置であって、前記砥石フランジに、前記砥石車を取付ける砥石取付軸部を設け、前記砥石取付軸部の基端部に砥石嵌合部を形成し、前記砥石取付軸部の外周に、嵌合導入部を形成し、前記砥石車に、前記嵌合導入部の径寸法より大きな径寸法を有する中心穴を形成し、前記砥石車の前記中心穴の内周に、前記砥石車を前記砥石嵌合部の径寸法とを同心的に合致嵌合する径寸法を有する円弧状の嵌合凸部を１８０度未満の角度範囲に亘って形成するとともに、逃がし円弧部を１８０度以上の角度範囲に亘って形成し、前記嵌合導入部の前記砥石取付軸部の軸端側に、前記嵌合導入部より径方向寸法の小さな逃がし部を、前記砥石嵌合部から軸線方向に離間し、かつ前記砥石車の前記嵌合凸部と円周方向に対向する位置に所定の角度範囲に亘って形成し、前記砥石取付軸部の前記砥石嵌合部に前記砥石車の前記嵌合凸部を同心的に合致嵌合した状態で、前記砥石車を前記砥石フランジの端面に固定するようにしたことである。
ことを特徴とする砥石車の取付装置。
請求項６に係る発明の特徴は、砥石軸の外周に着脱可能に固着された砥石フランジに対して、外周に砥石層を設けた砥石車を取付ける取付方法であって、前記砥石フランジに、前記砥石車を取付ける砥石取付軸部を設け、該砥石取付軸部の外周に、嵌合導入部を形成し、該嵌合導入部の基端部に、円弧状の嵌合凸部を１８０度未満の角度範囲に亘って形成し、前記砥石車に、前記嵌合導入部の径寸法より大きな径寸法を有し、かつ前記嵌合凸部の径寸法と同心的に合致嵌合する径寸法を有する中心穴を形成し、前記嵌合導入部の前記砥石取付軸部の軸端側に、前記嵌合導入部より径方向寸法の小さな逃がし部を、前記嵌合凸部から軸線方向に離間し、かつ前記嵌合凸部と円周方向に対向する位置に所定の角度範囲に亘って形成し、前記砥石取付軸部の前記嵌合導入部に前記砥石車の前記中心穴を支持させ、その状態で前記砥石車を前記嵌合導入部によって案内しながら前記砥石取付軸部の軸線方向に移動させて、前記砥石車の前記中心穴を前記砥石取付軸部の嵌合凸部に同心的に合致嵌合させ、その状態で、前記砥石車を前記砥石フランジの端面に固定するようにしたことである。
【手続補正５】
【補正対象書類名】明細書
【補正対象項目名】００１９
【補正方法】変更
【補正の内容】
【００１９】
しかも、請求項１に係る発明によれば、砥石車の中心穴と嵌合凸部との合致嵌合によって、砥石車の中心を砥石フランジの中心に一致させることができ、砥石フランジに対する砥石車の同心精度を確保することができる。加えて、砥石フランジの砥石取付軸部に対して、円板状の砥石車を取付けるだけであるので、砥石車を交換する際の交換重量を低減でき、砥石交換の作業性を向上することができる。
【手続補正６】
【補正対象書類名】明細書
【補正対象項目名】００２２
【補正方法】変更
【補正の内容】
【００２２】
請求項４に係る発明によれば、砥石フランジに装着される砥石車は、予め機外において中心穴を基準にして砥石層の外周を成形され、砥石車には、アップマークに対応する合わせマークが設けられているので、砥石車の合わせマークを砥石フランジのアップマークに合うように砥石フランジに装着することにより、成形時と同じ取付基準で砥石車を研削盤の砥石フランジに容易に取付けることができる。
【手続補正７】
【補正対象書類名】明細書
【補正対象項目名】００２３
【補正方法】変更
【補正の内容】
【００２３】
請求項５に係る発明によれば、砥石車の内周側に、嵌合凸部と逃がし円弧部を設け、砥石フランジの砥石取付軸部側に、嵌合円弧部に嵌合する砥石嵌合部と導入嵌合部と逃がし部を設けたので、請求項１で述べたと同様な作用効果を奏することができる。
請求項６に係る発明によれば、砥石取付軸部の嵌合導入部に砥石車の中心穴を支持させ、その状態で砥石車を嵌合導入部によって案内しながら砥石取付軸部の軸線方向に移動させて、砥石車の中心穴を砥石取付軸部の嵌合凸部に同心的に合致嵌合させ、その状態で、砥石車を砥石フランジの端面に固定するように取付方法であるので、請求項１で述べたと同様な作用効果を奏することができる。
【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
砥石軸の外周に着脱可能に固着された砥石フランジに対して、外周に砥石層を設けた砥石車を取付ける取付装置であって、
前記砥石フランジに、前記砥石車を取付ける砥石取付軸部を設け、
該砥石取付軸部の外周に、嵌合導入部を形成し、
該嵌合導入部の基端部に、円弧状の嵌合凸部を１８０度未満の角度範囲に亘って形成し、
前記嵌合導入部は、前記砥石車が、上下左右方向に円滑に案内され、かつ前記嵌合凸部にスムーズに乗り上げできるように、前記嵌合凸部の径寸法より小さな径寸法に設定され、
前記砥石車に、前記嵌合凸部の径寸法と同心的に合致嵌合する径寸法を有する中心穴を形成し、
前記嵌合導入部の前記砥石取付軸部の軸端側に、前記嵌合導入部より径方向寸法の小さな逃がし部を、前記嵌合凸部から軸線方向に離間し、かつ前記嵌合凸部と円周方向に対向する位置に所定の角度範囲に亘って形成し、
前記砥石取付軸部の前記嵌合凸部に前記砥石車の前記中心穴を同心的に合致嵌合した状態で、前記砥石車を前記砥石フランジの端面に固定するようにした、
ことを特徴とする砥石車の取付装置。
【請求項２】
請求項１において、
前記嵌合導入部の径寸法を、前記嵌合凸部の径寸法より０．０１５〜０．３５ｍｍ小さくした砥石車の取付装置。
【請求項３】
請求項１または請求項２において、前記嵌合導入部および前記逃がし部を、前記嵌合凸部と同心の円筒形状とした砥石車の取付装置。
【請求項４】
請求項１ないし請求項３のいずれか１項において、前記砥石フランジに、前記嵌合凸部に対応する角度位置にアップマークを設けた砥石車の取付装置。
【請求項５】
請求項４において、前記砥石フランジに装着される前記砥石車は、予め機外において前記中心穴を基準にして前記砥石層の外周を成形され、前記砥石車には、前記アップマークに対応する合わせマークが設けられている砥石車の取付装置。
【請求項６】
砥石軸の外周に着脱可能に固着された砥石フランジに対して、外周に砥石層を設けた砥石車を取付ける取付装置であって、
前記砥石フランジに、前記砥石車を取付ける砥石取付軸部を設け、
前記砥石取付軸部の外周に、嵌合導入部を形成し、
前記砥石車に、前記嵌合導入部の径寸法より大きな径寸法を有する中心穴を形成し、
前記砥石車の前記中心穴の内周に、前記砥石車を前記砥石嵌合部の径寸法とを同心的に合致嵌合する径寸法を有する円弧状の嵌合凸部を１８０度未満の角度範囲に亘って形成し、
前記嵌合導入部は、前記砥石車が、上下左右方向に円滑に案内され、かつ前記砥石嵌合部にスムーズに乗り上げできるように、前記砥石嵌合部の径寸法より小さな径寸法に設定され、
前記嵌合導入部の前記砥石取付軸部の軸端側に、前記嵌合導入部より径方向寸法の小さな逃がし部を、前記砥石嵌合部から軸線方向に離間し、かつ前記砥石車の前記嵌合凸部と円周方向に対向する位置に所定の角度範囲に亘って形成し、
前記砥石取付軸部の前記砥石嵌合部に前記砥石車の前記嵌合凸部を同心的に合致嵌合した状態で、前記砥石車を前記砥石フランジの端面に固定するようにした、
ことを特徴とする砥石車の取付装置。
【請求項７】
請求項６において、
前記嵌合導入部の径寸法を、前記嵌合凸部の径寸法より０．０１５〜０．３５ｍｍ小さくした砥石車の取付装置。
【請求項８】
砥石軸の外周に着脱可能に固着された砥石フランジに対して、外周に砥石層を設けた砥石車を取付ける取付方法であって、
前記砥石フランジに、前記砥石車を取付ける砥石取付軸部を設け、
該砥石取付軸部の外周に、嵌合導入部を形成し、
該嵌合導入部の基端部に、円弧状の嵌合凸部を１８０度未満の角度範囲に亘って形成し、
前記嵌合導入部は、前記砥石車が、上下左右方向に円滑に案内され、かつ前記嵌合凸部にスムーズに乗り上げできるように、前記嵌合凸部の径寸法より小さな径寸法に設定され、
前記砥石車に、前記嵌合凸部の径寸法と同心的に合致嵌合する径寸法を有する中心穴を形成し、
前記嵌合導入部の前記砥石取付軸部の軸端側に、前記嵌合導入部より径方向寸法の小さな逃がし部を、前記嵌合凸部から軸線方向に離間し、かつ前記嵌合凸部と円周方向に対向する位置に所定の角度範囲に亘って形成し、
前記砥石取付軸部の前記嵌合導入部に前記砥石車の前記中心穴を支持させ、その状態で前記砥石車を前記嵌合導入部によって案内しながら前記砥石取付軸部の軸線方向に移動させて、前記砥石車の前記中心穴を前記砥石取付軸部の前記嵌合凸部に同心的に合致嵌合させ、その状態で、前記砥石車を前記砥石フランジの端面に固定するようにした、
ことを特徴とする砥石車の取付方法。
【請求項９】
請求項８において、
前記嵌合導入部の径寸法を、前記嵌合凸部の径寸法より０．０１５〜０．３５ｍｍ小さくした砥石車の取付方法。
【手続補正２】
【補正対象書類名】明細書
【補正対象項目名】００１１
【補正方法】変更
【補正の内容】
【００１１】
上記の課題を解決するため、請求項１に係る発明の特徴は、砥石軸の外周に着脱可能に固着された砥石フランジに対して、外周に砥石層を設けた砥石車を取付ける取付装置であって、前記砥石フランジに、前記砥石車を取付ける砥石取付軸部を設け、該砥石取付軸部の外周に、嵌合導入部を形成し、該嵌合導入部の基端部に、円弧状の嵌合凸部を１８０度未満の角度範囲に亘って形成し、前記嵌合導入部は、前記砥石車が、上下左右方向に円滑に案内され、かつ前記嵌合凸部にスムーズに乗り上げできるように、前記嵌合凸部の径寸法より小さな径寸法に設定され、前記砥石車に、前記嵌合凸部の径寸法と同心的に合致嵌合する径寸法を有する中心穴を形成し、前記嵌合導入部の前記砥石取付軸部の軸端側に、前記嵌合導入部より径方向寸法の小さな逃がし部を、前記嵌合凸部から軸線方向に離間し、かつ前記嵌合凸部と円周方向に対向する位置に所定の角度範囲に亘って形成し、前記砥石取付軸部の前記嵌合凸部に前記砥石車の前記中心穴を同心的に合致嵌合した状態で、前記砥石車を前記砥石フランジの端面に固定するようにしたことである。
請求項２に係る発明の特徴は、請求項１において、前記嵌合導入部の径寸法を、前記嵌合凸部の径寸法より０．０１５〜０．３５ｍｍ小さくしたことである。
【手続補正３】
【補正対象書類名】明細書
【補正対象項目名】００１２
【補正方法】変更
【補正の内容】
【００１２】
請求項３に係る発明の特徴は、請求項１または請求項２において、前記嵌合導入部および前記逃がし部を、前記嵌合凸部と同心の円筒形状としたことである。
【手続補正４】
【補正対象書類名】明細書
【補正対象項目名】００１３
【補正方法】変更
【補正の内容】
【００１３】
請求項４に係る発明の特徴は、請求項１ないし請求項３のいずれか１項において、前記砥石フランジに、前記嵌合凸部に対応する角度位置にアップマークを設けたことである。
【手続補正５】
【補正対象書類名】明細書
【補正対象項目名】００１４
【補正方法】変更
【補正の内容】
【００１４】
請求項５に係る発明の特徴は、請求項４において、前記砥石フランジに装着される前記砥石車は、予め機外において前記中心穴を基準にして前記砥石層の外周を成形され、前記砥石車には、前記アップマークに対応する合わせマークが設けられていることである。
【手続補正６】
【補正対象書類名】明細書
【補正対象項目名】００１５
【補正方法】変更
【補正の内容】
【００１５】
請求項６に係る発明の特徴は、砥石軸の外周に着脱可能に固着された砥石フランジに対して、外周に砥石層を設けた砥石車を取付ける取付装置であって、前記砥石フランジに、前記砥石車を取付ける砥石取付軸部を設け、前記砥石取付軸部の外周に、嵌合導入部を形成し、前記砥石車に、前記嵌合導入部の径寸法より大きな径寸法を有する中心穴を形成し、前記砥石車の前記中心穴の内周に、前記砥石車を前記砥石嵌合部の径寸法とを同心的に合致嵌合する径寸法を有する円弧状の嵌合凸部を１８０度未満の角度範囲に亘って形成し、前記嵌合導入部は、前記砥石車が、上下左右方向に円滑に案内され、かつ前記砥石嵌合部にスムーズに乗り上げできるように、前記砥石嵌合部の径寸法より小さな径寸法に設定され、前記嵌合導入部の前記砥石取付軸部の軸端側に、前記嵌合導入部より径方向寸法の小さな逃がし部を、前記砥石嵌合部から軸線方向に離間し、かつ前記砥石車の前記嵌合凸部と円周方向に対向する位置に所定の角度範囲に亘って形成し、前記砥石取付軸部の前記砥石嵌合部に前記砥石車の前記嵌合凸部を同心的に合致嵌合した状態で、前記砥石車を前記砥石フランジの端面に固定するようにしたことである。
請求項７に係る発明の特徴は、請求項６において、前記嵌合導入部の径寸法を、前記嵌合凸部の径寸法より０．０１５〜０．３５ｍｍ小さくしたことである。
請求項８に係る発明の特徴は、砥石軸の外周に着脱可能に固着された砥石フランジに対して、外周に砥石層を設けた砥石車を取付ける取付方法であって、前記砥石フランジに、前記砥石車を取付ける砥石取付軸部を設け、該砥石取付軸部の外周に、嵌合導入部を形成し、該嵌合導入部の基端部に、円弧状の嵌合凸部を１８０度未満の角度範囲に亘って形成し、前記嵌合導入部は、前記砥石車が、上下左右方向に円滑に案内され、かつ前記嵌合凸部にスムーズに乗り上げできるように、前記嵌合凸部の径寸法より小さな径寸法に設定され、前記砥石車に、前記嵌合凸部の径寸法と同心的に合致嵌合する径寸法を有する中心穴を形成し、前記嵌合導入部の前記砥石取付軸部の軸端側に、前記嵌合導入部より径方向寸法の小さな逃がし部を、前記嵌合凸部から軸線方向に離間し、かつ前記嵌合凸部と円周方向に対向する位置に所定の角度範囲に亘って形成し、前記砥石取付軸部の前記嵌合導入部に前記砥石車の前記中心穴を支持させ、その状態で前記砥石車を前記嵌合導入部によって案内しながら前記砥石取付軸部の軸線方向に移動させて、前記砥石車の前記中心穴を前記砥石取付軸部の前記嵌合凸部に同心的に合致嵌合させ、その状態で、前記砥石車を前記砥石フランジの端面に固定するようにしたことである。
請求項９に係る発明の特徴は、請求項８において、前記嵌合導入部の径寸法を、前記嵌合凸部の径寸法より０．０１５〜０．３５ｍｍ小さくしたことである。
【手続補正７】
【補正対象書類名】明細書
【補正対象項目名】００２０
【補正方法】変更
【補正の内容】
【００２０】
請求項３に係る発明によれば、嵌合導入部および逃がし部を、嵌合凸部と同心の円筒形状としたので、嵌合導入部および逃がし部の形成を容易に行うことができる。
【手続補正８】
【補正対象書類名】明細書
【補正対象項目名】００２１
【補正方法】変更
【補正の内容】
【００２１】
請求項４に係る発明によれば、砥石フランジに、嵌合凸部に対応する角度位置にアップマークを設けたので、砥石車の装着時に砥石フランジの嵌合凸部を上向きの角度位置に容易に位置決めすることができる。
【手続補正９】
【補正対象書類名】明細書
【補正対象項目名】００２２
【補正方法】変更
【補正の内容】
【００２２】
請求項５に係る発明によれば、砥石フランジに装着される砥石車は、予め機外において内周を基準にして砥石層の外周を成形され、砥石車には、アップマークに対応する合わせマークが設けられているので、砥石車の合わせマークを砥石フランジのアップマークに合うように砥石フランジに装着することにより、成形時と同じ取付基準で砥石車を研削盤の砥石フランジに容易に取付けることができる。
【手続補正１０】
【補正対象書類名】明細書
【補正対象項目名】００２３
【補正方法】変更
【補正の内容】
【００２３】
請求項６に係る発明によれば、砥石車の内周側に、嵌合凸部と逃がし円弧部を設け、砥石フランジの砥石取付軸部側に、嵌合円弧部に嵌合する砥石嵌合部と導入嵌合部と逃がし部を設けたので、請求項１で述べたと同様な作用効果を奏することができる。
請求項８に係る発明によれば、砥石取付軸部の嵌合導入部に砥石車の中心穴を支持させ、その状態で砥石車を嵌合導入部によって案内しながら砥石取付軸部の軸線方向に移動させて、砥石車の中心穴を砥石取付軸部の嵌合凸部に同心的に合致嵌合させ、その状態で、砥石車を砥石フランジの端面に固定するように取付方法であるので、請求項１で述べたと同様な作用効果を奏することができる。
【国際調査報告】
2013088574.tif 000011
2013088574.tif 000012
2013088574.tif 000013
2013088574.tif 000014